(57)【要約】【課題】  小型化、高密度化が進んでいる携帯電子機器等に組み込みが容易な磁気式ジャイロを提供する。【解決手段】  被測定体に固定された３軸直交座標系における磁気ベクトルとして地磁気を検出する３軸磁気センサ２、被測定体が３軸直交座標系のいずれかの直交軸を回転軸として回転運動したとき、３軸磁気センサ２によって時系列的に検出される磁気ベクトルのデータを蓄積するメモリ３と、メモリに蓄積された異なる２時点以上の磁気ベクトルのデータを基に、回転軸を判定する回転軸判定手段４と、被測定体の回転軸として判定された回転軸周りの回転角度を磁気ベクトルのデータを基に算出する回転角度算出手段５を有する磁気式ジャイロ。【選択図】図１
2008224642.tif 000002
【特許請求の範囲】
【請求項１】
被測定体に固定された３軸直交座標系における磁気ベクトルとして地磁気を検出する３軸磁気センサと、
上記被測定体が上記３軸直交座標系のいずれかの直交軸を回転軸として回転運動したとき、上記３軸磁気センサによって時系列的に検出される上記磁気ベクトルのデータを蓄積するメモリと、
上記メモリに蓄積された異なる２時点以上の磁気ベクトルのデータを基に、上記回転軸を判定する回転軸判定手段と、
上記被測定体の上記回転軸として判定された上記回転軸周りの回転角度を上記磁気ベクトルのデータを基に算出する回転角度算出手段とを有することを特徴とする磁気式ジャイロ。
【請求項２】
請求項１において、
上記回転角度算出手段によって算出された上記２時点間における上記被測定体の回転角度と、上記２時点間における上記磁気ベクトルのデータの採取時刻の差を基に、上記回転軸を中心とする上記被測定体の回転角速度を算出する角速度算出手段を有することを特徴とする磁気式ジャイロ。
【請求項３】
請求項１または請求項２において、上記回転軸判定手段は、上記２時点の磁気ベクトルの３軸直交座標系における成分の差分ベクトルのうち１成分が予め定めた値より小さい値を示す軸を回転軸と判定することを特徴とする磁気式ジャイロ。
【請求項４】
請求項１または請求項２において、上記回転軸判定手段は、上記２時点の磁気ベクトルの３軸直交座標系における成分の差分ベクトルのうち２成分が予め定めた値より小さい値を示すとき、上記２成分と、上記２時点より前の異なる２時点における回転軸判定手段によって回転軸と判定された成分と一致した場合に一致した軸を回転軸と判定することを特徴とする磁気式ジャイロ。
【発明の詳細な説明】
【技術分野】
【０００１】  本発明は、地磁気を利用して、回転角度を測定したり、回転角速度を測定する磁気式ジャイロに関する。
【背景技術】
【０００２】  従来、被測定体の回転角度を計測するディレクショナルジャイロが知られている（特許文献１）。このジャイロは複雑な機構を必要とするために小型化が困難であり、機構上多くの電力を必要とし、特殊な用途に限られていた。また、振動ジャイロと称する回転角速度を計測するレートジャイロが知られているが（特許文献２）、振動機構を必要とするために小型化、低消費電力化が困難であった。
それ故、これらの機械式ジャイロは小型化、高密度化の進んでいる携帯電子機器に組み込むことは困難であるという問題がある。【０００３】
【特許文献１】米国特許第３１４３８９２号明細
【特許文献２】特開平７−１３９９５１号公報
【発明の開示】
【発明が解決しようとする課題】
【０００４】  本発明は、上記従来の問題点に鑑みてなされたもので、小型で、かつ低消費電力の磁気式ジャイロを提供することを目的とする。
【課題を解決するための手段】
【０００５】  本発明の回転角度を検出する磁気式ジャイロは、被測定体に固定された３軸直交座標系における磁気ベクトルとして地磁気を検出する３軸磁気センサと、上記被測定体が上記３軸直交座標系のいずれかの直交軸を回転軸として回転運動したとき、上記３軸磁気センサによって時系列的に検出される上記磁気ベクトルのデータを蓄積するメモリと、上記メモリに蓄積された異なる２時点以上の磁気ベクトルのデータを基に、上記回転軸を判定する回転軸判定手段と、上記被測定体の上記回転軸として判定された上記回転軸周りの回転角度を上記磁気ベクトルのデータを基に算出する回転角度算出手段とを有することを特徴としている（請求項１）。【０００６】  本発明の磁気式ジャイロは、３軸磁気センサを利用するものであるため、機械式のような複雑な機構を必要としたり、電力を多く必要とすることもない。その結果、小型化を容易に図ることができる。【０００７】また、本発明の回転角速度を検出する磁気式ジャイロは、上記回転角度算出手段によって算出された異なる２時点間における上記被測定体の回転角度と、その２時点間における上記磁気ベクトルのデータの採取時刻の差を基に、上記回転軸を中心とする上記被測定体の回転角速度を算出する角速度算出手段を有することを特徴としている（請求項２）。【０００８】  本発明の磁気式ジャイロは、３軸磁気センサを利用するものであるため、振動機構を必要としたり、電力を多く必要とすることもない。その結果、小型化を容易に図ることができる。【０００９】  さらに、本発明の回転角度または回転角速度を検出する磁気式ジャイロにおいて、回転軸判定手段は、上記２時点の磁気ベクトルの３軸直交座標系における成分の差分ベクトルのうち１成分が予め定めた値より小さい値を示す軸を回転軸と判定することを特徴としている（請求項３）。【００１０】  本発明の磁気式ジャイロは、３軸の出力データを用いて異なる２時点間の差分ベクトルを求め、予め定めた値と比較し、３軸のうちのいずれか１つの軸が基準軸となる回転軸として容易に判定することができる。【００１１】  さらに、本発明の回転角度または回転角速度を検出する磁気式ジャイロにおいて、回転軸判定手段は、上記２時点の磁気ベクトルの３軸直交座標系における成分の差分ベクトルのうち２成分が予め定めた値より小さい値を示すとき、上記２成分と、上記２時点より前の異なる２時点における回転軸判定手段によって回転軸と判定された成分と一致した場合に一致した軸を回転軸と判定することを特徴としている（請求項４）。【００１２】  本発明の磁気式ジャイロは、予め定めた値より小さい差分ベクトルを示す成分が３軸のうちのいずれか２軸となった場合にも、前に回転軸として判定した結果を用いて簡易に回転軸を判定することができる。
【発明の効果】
【００１３】  本発明の磁気式ジャイロは、小型化、低消費電力化を容易に図ることができる。その結果、小型化、高密度化が進んでいる携帯電子機器等に組み込むことも容易となる。
【発明を実施するための最良の形態】
【００１４】    以下、図１及び図２を参照して、本発明の実施形態を説明する。【００１５】  図１は、本発明の磁気式ジャイロのブロック図であり、図２は、その回転軸判定手段のフロー図である。
図１に示すように、磁気式ジャイロ１には、３軸磁気センサ２とメモリ３と回転軸判定手段４と回転角度算出手段５と回転角速度算出手段６とを有する。【００１６】  ３軸磁気センサ２は、被測定体に固定された３軸直交座標系における磁気ベクトルｍ１、ｍ２として、地磁気を検出する。
３軸磁気センサ２は、マグネトインピーダンスセンサ素子を使用するマグネトインピーダンスセンサから構成している。なお、３軸磁気センサとして、マグネトインピーダンセンサに限らず、ホール素子、磁気抵抗素子などを使用する磁気センサでもよい。【００１７】  上記メモリ３は、被測定体が上記３軸直交座標系のいずれかの直交軸を回転軸として回転運動したときに上記３軸磁気センサ２によって時系列的に検出される磁気ベクトルｍ１、ｍ２のデータを蓄積する。【００１８】  回転軸判定手段４は、メモリ３に蓄積された異なる２時点以上の磁気ベクトルｍ１、ｍ２のデータを基に、回転軸を判定する。【００１９】  回転角度算出手段５は、被測定体の回転軸として判定された回転軸周りの磁気ベクトルｍ１、ｍ２、ｍ３のデータを基に、回転角度を算出する。
上記回転角速度算出手段６は、回転角度算出手段５によって算出された異なる２時点間における被測定体の回転角度と、その２時点間における磁気ベクトルのデータの採取時刻の差とを基に、上記回転軸を中心とする被測定体の回転角速度を算出する。【００２０】  次に、本例の磁気式ジャイロ１を用いた被測定体の回転角度及び回転角速度の検出方法につき、具体的に説明する。
磁気式ジャイロ１は、図１に示すように、上記３軸磁気センサ２と、該３軸磁気センサ２によって検出した磁気ベクトルのデータを蓄積すると共にこれらを基に被測定体の回転角度及び回転角速度を算出する演算を行うコンピュータ１１とを有する。すなわち、該コンピュータ１１には、上記メモリ３と上記回転軸判定手段４と上記回転角度算出手段５と上記回転角速度算出手段６とが設けてある。【００２０】
2008224642.tif 000003
磁気を磁気ベクトルｍ１、ｍ２として検出する。磁気ベクトルｍ１、ｍ２は、被測定体に固定された３軸直交座標系のいずれかの直交軸を軸芯とするベクトルである。このとき、被測定体が動いて、回転軸が回転している場合には、時系列的に検出される複数の磁気ベクトルｍ１、ｍ２は、互いに異なる。
この時系列的に検出される磁気ベクトルｍ１、ｍ２のデータを、コンピュータ１１のメモリ３に送り、時系列的なデータとして記憶させる。【００２１】  次いで、回転軸判定手段４によって、メモリ３に蓄積された異なる２時点間以上の磁気ベクトルのデータを基に、被測定体の回転軸を判定する。
2008224642.tif 000004
出す。そして、時刻ｔにおける磁気ベクトルをｍ１＝（ｍ１ｘ、ｍ１ｙ、ｍ１ｚ）とし、時刻
2008224642.tif 000005
【００２２】  そこで、以下の式（１）のように、磁気ベクトルｍ１とｍ２との差である差分ベクトル
2008224642.tif 000006
【００２３】  ここで、差分ベクトルが変化したか否か判断基準としてしきい値Ｍを設ける。例えば、しきい値Ｍとして磁気センサの特性などより２０ｍＧａｕｓｓとすることができる。
2008224642.tif 000007
軸が「静止と判定」され、中止のうえメモリ３に記録する。
2008224642.tif 000008
には、以下のように回転軸を判定することができる。【００２４】  ３軸直交座標系の直交軸を構成するｘ軸、ｙ軸、ｚ軸の任意の軸をｉ軸、ｊ軸、ｋ軸とする。
2008224642.tif 000009
きい値Ｍより小さい場合について説明する。
2008224642.tif 000010
分のｉ軸を回転軸と判定する。【００２５】
2008224642.tif 000011
より小さい場合について説明する。
2008224642.tif 000012
みがしきい値Ｍより大きくなる場合がある。このときの仮の回転軸は、ｉ軸及びｊ軸とする。【００２６】  回転軸がｉ軸及びｊ軸の場合において、メモリ３に記録されている異なる２時点（ｔ−
2008224642.tif 000013
と判定する。次に、前の回転軸が静止、判定不可又はｋ軸であるときは、前の回転軸はｉ軸でないためにｊ軸を回転軸と判定する。【００２７】  上記のようにして得られた回転軸を基に、回転角度算出手段５は、以下のようにして求められる。
2008224642.tif 000014
【００２８】  ここで、ｊ軸およびｋ軸を定義された回転方向とすると、回転軸ｉがｚ軸のとき、
2008224642.tif 000015
号を出力端子Ｐ１から出力する（図１）。【００２９】
2008224642.tif 000016
る。この回転角速度ωの信号を出力端子Ｐ２から出力する（図１）。
以上により、回転軸を判定することができるためその回転軸の周りの回転角度を求めることができ、また回転角速度ωを得ることができる。
【産業上の利用可能性】
【００３０】  本発明の磁気式ジャイロは、例えば、携帯電話機やＰＤＡ等の携帯電子機器やに搭載することにより、磁気式ジャイロによって検出された回転角度や回転角速度を、上記機器に対する種々の入力信号とすることができる。
【図面の簡単な説明】
【００３１】
【図１】  本発明の磁気式ジャイロのブロック図である。
【図２】  回転軸判定手段のフロー図である。
【符号の説明】
【００３２】１    磁気式ジャイロ
２    ３軸磁気センサ
３    メモリ
４    回転軸判定手段
５    回転角度算出手段
６    回転角速度算出手段
１１  コンピュータ
【図１】
2008224642.tif 000017
【図２】
2008224642.tif 000018